(57)【特許請求の範囲】
【請求項１】
垂直掃引用の鋸波（「垂直鋸波」という）を入力し、走査期間の前記垂直鋸波の振幅を、画面の垂直掃引方向の所定の位置に対応する垂直鋸波の振幅値に設定されている一の基準レベル、又は、互いに異なる値の複数の基準レベルと比較する比較回路と、
前記垂直鋸波と基準レベルとの差分のパラボラ波を生成する乗算回路と、
前記乗算回路の出力振幅を調整する利得可変型の増幅回路と、
前記利得可変型の増幅回路に対して、前記比較回路の比較結果に基づき、前記垂直鋸波の振幅が前記基準レベルで区分される区間のうちどの区間にあるかに応じて、複数の利得の中から、前記区間に応じた利得を択一的に選択して設定する制御回路と、
を備え、前記利得可変型の増幅回路から歪補正信号が出力される、ことを特徴とする歪補正回路。
【請求項２】
垂直掃引用の鋸波（「垂直鋸波」という）を入力し、走査期間の前記垂直鋸波の電圧と、垂直掃引方向の画面中央に対応する垂直鋸波振幅に設定されている基準電圧との大小を比較する比較回路と、
前記垂直鋸波と前記基準電圧とから、前記垂直鋸波電圧と前記基準電圧の差分のパラボラ波を生成する乗算回路と、
前記乗算回路の出力振幅を調整する利得可変型の増幅回路と、
前記比較回路の比較結果に基づき、前記垂直鋸波電圧が前記基準電圧よりも小のときは、前記利得可変型の増幅回路の利得として予め定められた第１の利得を設定し、前記垂直鋸波電圧が前記基準電圧以上のときは、前記利得可変型の増幅回路の利得として予め定められた第２の利得を設定する制御回路と、
を備え、前記利得可変型の増幅回路から歪補正信号が出力される、ことを特徴とする歪補正回路。
【請求項３】
前記利得可変型の増幅回路が、与えられた制御電圧によって利得が可変され、前記パラボラ波の出力電圧を入力し前記利得で増幅して歪補正信号として出力する電圧制御増幅回路よりなり、
前記制御回路は、前記比較回路の比較結果に基づき、前記垂直鋸波の振幅が前記基準電圧よりも小のときは、予め定められた第１の制御電圧を、前記電圧制御増幅回路に供給し、前記垂直鋸波の振幅が前記基準電圧以上のときは、予め定められた第２の制御電圧を前記電圧制御増幅回路に供給する、ことを特徴とする請求項２記載の歪補正回路。
【請求項４】
前記比較回路は、走査期間の前記垂直鋸波の振幅を互いに異なる値の複数の基準レベルと比較し、前記垂直鋸波の振幅が属する区分に対応する基準レベルを前記乗算回路に供給するか、又は、予め定められた基準レベルを前記乗算回路に供給する、ことを特徴とする請求項１記載の歪補正回路。
【請求項５】
垂直掃引用の鋸波（「垂直鋸波」という）を入力し、走査期間の前記垂直鋸波の振幅を、画面の所定の垂直位置に対応する垂直鋸波の振幅値に設定されている、一の基準レベル、又は、互いに異なる値の複数の基準レベルと比較する比較回路と、
前記垂直鋸波と基準レベルの差分を増幅する利得可変型の増幅回路と、
前記比較回路の比較結果に基づき、前記垂直鋸波の振幅が、前記基準値で区分される区間のうちどの区間にあるかに応じて、前記利得可変型の増幅回路に対して、複数の利得の中から前記区間に応じた利得を択一的に選択して設定する制御回路と、
前記利得可変型の増幅回路の出力信号からパラボラ波を生成し歪補正信号として出力する乗算回路と、
を備えたことを特徴とする歪補正回路。
【請求項６】
垂直掃引用の鋸波（「垂直鋸波」という）を入力し、走査期間の前記垂直鋸波の電圧と、垂直掃引方向の画面中央の位置に対応する垂直鋸波の電圧に設定されている基準電圧との大小を比較する比較回路と、
前記垂直鋸波と基準電圧の差分を増幅する利得可変型の増幅回路と、
前記比較回路の比較結果に基づき、前記垂直鋸波の電圧が前記基準電圧よりも小のときは、前記利得可変型の増幅回路の利得として予め定められた第１の利得を設定し、前記垂直鋸波の電圧が前記基準電圧以上のときは、前記利得可変型の増幅回路の利得として予め定められた第２の利得を設定する制御回路と、
前記利得可変型増幅回路の出力信号からパラボラ波を生成し歪補正信号として出力する乗算回路と、
を備えたことを特徴とする歪補正回路。
【請求項７】
前記利得可変型の増幅回路が、与えられた制御電圧によって利得が可変され、前記垂直鋸波と前記基準電圧の差分を増幅する電圧制御増幅回路よりなり、
前記制御回路が、前記比較回路の比較結果に基づき、前記垂直鋸波の電圧が前記基準電圧よりも小のときは、予め定められた第１の制御電圧を前記電圧制御増幅回路に供給し、前記垂直鋸波の電圧が前記基準電圧以上のときは、予め定められた第２の制御電圧を前記電圧制御増幅回路に供給する、ことを特徴とする請求項６記載の歪補正回路。
【請求項８】
前記比較回路は、走査期間の前記垂直鋸波の振幅を互いに異なる値の複数の基準レベルと比較し、前記垂直鋸波の振幅が属する区分に対応する基準レベルを前記増幅回路に供給するか、又は、予め定められた基準レベルを前記増幅回路に供給する、ことを特徴とする請求項５記載の歪補正回路。
【請求項９】
前記制御回路が、前記第１、第２の制御電圧に対応するデジタル値をそれぞれ格納する第１、第２のレジスタと、
前記第１、第２のレジスタの出力を入力し、前記比較回路の比較結果信号を選択制御信号として入力し、前記比較結果が前記垂直鋸波電圧が前記基準電圧よりも小であることを示しているときは、前記第１のレジスタの出力値を選択して出力し、前記比較結果が前記垂直鋸波電圧が前記基準電圧以上であることを示しているときは、前記第２のレジスタの出力値を選択して出力するセレクタと、
前記セレクタの出力を入力としてアナログ信号に変換出力するデジタルアナログ変換器と、
を備え、前記デジタルアナログ変換器の出力が、前記電圧制御増幅回路に制御電圧として入力される、ことを特徴とする請求項３又は７記載の歪補正回路。
【請求項１０】
前記セレクタが、前記第１のレジスタの出力と、前記比較回路の比較結果信号とを入力し、前記第１のレジスタの各出力ビットと前記比較結果信号の論理積をとった信号を出力する第１の論理積回路と、
前記第２のレジスタの出力と、前記比較回路の比較結果信号をインバータで反転した信号とを入力し、前記第２のレジスタの各出力ビットと前記比較結果信号の反転信号の論理積をとった信号を出力する第２の論理積回路と、
前記第１の論理積回路の各出力ビットについて前記第１の論理積回路の出力ビットと該出力ビットに対応する前記第２の論理積回路の出力ビットとの論理和をとった信号を出力する論理和回路と、
を備えたことを特徴とする請求項９に記載の歪補正回路。
【請求項１１】
前記乗算回路が、前記垂直鋸波と前記基準電圧との差分と、前記利得可変型の増幅回路の出力信号とから前記パラボラ波を生成する、ことを特徴とする請求項６に記載の歪補正回路。
【請求項１２】
請求項１乃至１１のいずれか一に記載の歪補正回路を備え、
前記歪補正回路から出力される垂直期間周期の歪補正信号で振幅変調した水平偏向電流で、水平偏向コイルを駆動する構成とされている、ことを特徴とする表示装置。
【請求項１３】
請求項９又は１０に記載の歪補正回路と、不揮発性記憶装置を備え、
前記不揮発性記憶装置には、製造時の調整で取得された、前記第１、第２のレジスタに設定する値が記憶されており、
前記不揮発性記憶装置に記憶された前記各値が読み出され、前記第１、第２のレジスタに設定される、ことを特徴とする表示装置。
【発明の詳細な説明】
【０００１】
【発明の属する技術分野】
本発明は、表示装置に関し、特に、糸巻き歪を補正する回路及び該回路を備えた表示装置に関する。
【０００２】
【従来の技術】
テレビジョン受像機やディスプレイ装置の受像管（Cathode  Ray  Tube；「ＣＲＴ」という）においては、図１６（ａ）に示すように、電子銃（カソード電極７２）から放射される電子ビーム７３を偏向させる均一な磁界の偏向半径が球面になるのに対して、画面（蛍光面）７４は平面に近いため、偏向半径と受像面までの距離の偏向角度に比例する差が、画面７４の端にいくほど、大きな投影寸法となり、偏向角がもっとも大きくなる画面の四隅が伸びて投影されて、糸巻き状にひずむ。この歪を糸巻き歪（ピンクッション歪：pincushion  distortion）という。このうち、図１６（ｂ）に示すように、画面（ラスタ）の左右両端の縦線が曲がる歪をラスタ縦線糸巻き歪（E-W  Raster  pincushion  distortion）、または左右両端の歪であることから左右糸巻き歪（Side  pincushion  distortion）ともいう。
【０００３】
この左右糸巻き歪の補正は、従来より、垂直走査周期のパラボラ電流で水平偏向電流を振幅変調（ＡＭ変調）した電流を、水平偏向コイルに流すことで行われている。
【０００４】
図１７は、左右糸巻き歪等の偏向歪の補正を行うＣＲＴモニタの構成の一例を示すブロック図である。図１７を参照すると、このＣＲＴモニタは、同期分離同期入力処理回路２０５からの垂直同期信号Ｖｓｙｎｃを入力して垂直掃引用の鋸波（「垂直鋸波」という）を生成する垂直鋸波発振回路２０７と、垂直鋸波発振回路２０７から出力される垂直鋸波を入力し１垂直期間分のパラボラ波よりなる歪補正信号Ｖｏを生成する偏向歪補正回路２０８と、を備えている。偏向歪補正回路２０８で生成された歪補正信号Ｖｏは、水平同期信号Ｈｓｙｎｃを入力とし水平掃引用の鋸波（水平ドライブ信号）を生成する水平発振回路２０６に入力され、水平発振回路２０６から出力される水平ドライブ信号（位相が歪補正信号で制御される）は水平偏向出力回路２１０に入力される。高い電圧が必要とされる帰線期間（鋸波は、偏向を一定速度で行う走査期間と、一方向の走査が終わってから次の走査に移る帰線期間よりなる）にパルス増幅して＋Ｂ電圧を持ち上げる＋Ｂ電源回路２０９には、水平発振回路２０６から出力される水平ドライブ信号と、偏向歪補正回路２０８から出力される歪補正信号Ｖｏとが入力され、１垂直期間の周期の歪補正信号Ｖｏで＋Ｂ電圧を補正することで、１垂直期間内の水平ドライブ信号の振幅を補正している。水平偏向コイルに流す偏向電流を供給する水平偏向出力回路２１０には、＋Ｂ電源回路２０９から＋Ｂ電圧が供給され、水平偏向出力回路２１０からは、水平ドライブ信号の振幅を歪補正信号の振幅に比例して変化させた水平偏向電流が出力される。以上が同期偏向回路の構成であるが、映像信号（ＲＧＢ信号）の出力回路としては、ＲＧＢプリアンプ２０１で前置増幅された出力信号を入力とするＲＧＢメインアンプ２０２の増幅出力が、ＣＲＴ２０３の電子銃（不図示）に印加され、ＣＲＴ２０３では、水平偏向出力回路２１０及び垂直偏向出力回路２１１からの偏向電流が水平及び垂直偏向コイル２０４に供給され、ＣＲＴ２０３のネックに配設されている偏向ヨーク（不図示）からの磁界によって、電子銃から放射された電子ビームの偏向が行われる。
【０００５】
ところで、偏向ヨークのＣＲＴ２０３のネック部への上下方向のわずかな取り付け角度のばらつき等により、ＣＲＴ２０３の画面上部と下部における糸巻き歪や台形歪当の歪波形に差異が生じ、上下非対称の歪となる。
【０００６】
従来、ＣＲＴの画面上下を、同じ歪補正量で補正することで、歪が目立たない程度に補正していたが、近時の大画面、平面化に伴い、ＣＲＴの左右糸巻き歪等を、画面の上部、下部で独立に補正する機能の実装が望まれている。
【０００７】
左右糸巻き歪の補正、及び上下非対称の歪を補正する装置に関する刊行物として、例えば特開平６−３３４８８７号公報、特開平５−３０８５３８号公報、及び特開平１１−３１３２２２号公報等が参照される。
【０００８】
このうち、特開平６−３３４８８７号公報には、画面上部と画面下部のコーナー歪が独立に制御できるようにしたコーナーピンクッション歪補正波発生回路として、図１８に示すように、一垂直期間の周期をもつの鋸波（垂直鋸波）１０１の画面下部にあたる部分を抜き出す（スライスする）下部コーナー部抜き出し差動比較回路１０２と、抜き出した波形を乗算する乗算回路１０５と、補正波形の振幅を調整する振幅調整回路（ゲインコントロール回路）１０７とで、画面下部のコーナー歪を補正し、鋸波から画面上部にあたる部分を抜き出す上部コーナー部抜き出し差動比較回路１０３と、抜き出した波形を乗算する乗算回路１０６と、補正波形の振幅を調整する振幅調整回路（ゲインコントロール回路）１０８とで、画面上部のコーナー歪を補正し、加算器１０９で下部補正波と上部補正波を加算した後の信号振幅を調整する振幅調整回路（ゲインコントロール回路）１１３を備えた構成が提案されている。コーナースライス点バイアス回路１０４は、下部コーナー部抜き出し差動比較回路１０２と、上部コーナー部抜き出し差動比較回路１０３の下部コーナー部、上部コーナー部抜き出しのための比較バイアス電圧を与える。
【０００９】
また特開平５−３０８５３８号公報には、垂直鋸波電圧を積分して左右糸巻き歪補正用のパラボラ電圧を形成し、パラボラ電圧により、水平出力回路の水平偏向コイルに流れる電流を垂直周期で変調する左右糸巻き歪補正装置において、垂直同期信号又は水平同期信号を基準にして、毎垂直同期周期を分割した各補正区間の選択信号を形成する補正区間設定部と、前記各補正区間の選択信号により、各補正区間の補正量調整電圧を択一的に選択し、選択した補正量調整電圧又は該電圧の積分電圧を、前記パラボラ波電圧に重畳する補正量調整部を備えた構成が提案されている。この特開平５−３０８５３８号公報においては、垂直同期周期を分割して補正区間を設定しており、段階的に補正量調整電圧が与えられ、各補正区間の補正量調整電圧をパラボラ波電圧に重畳する構成とされており、また歪補正用のパラボラ波を、積分回路で垂直鋸波電圧を積分して生成しているため、垂直鋸波の振幅中央とパラボラ波電圧の中心の底とが一致しており、補正区間は垂直同期信号を基準として設定されている。
【００１０】
そして特開平１１−３１３２２２号公報には、上下非対称となる歪を低減する画像歪補正装置として、サイドピン補正回路の出力が、２乗波（パラボラ）＋３乗波（Ｓ字波）となり、サイドピン制御電圧を可変することによって、出力信号の２乗波の振幅が変化し、左右対称の糸巻き（ピンクッション）歪を補正することができ、Ｓ字歪制御電圧を可変することで、３乗波の振幅が変化し、上下非対称の垂直Ｓ字歪を補正することができるようにし、垂直画面サイズ、及び垂直位置の情報を含む垂直鋸波を使用し、３乗波での補正量は、垂直画面サイズ及び垂直位置に応じて自動的に変化して追従するようにした構成が開示されている。この画像歪補正装置においては、画面全体を見ながら、２乗波と３乗波を調整するため、調整作業が複雑となるものと思料される。
【００１１】
【発明が解決しようとする課題】
上記したように、特開平６−３３４８８７号公報に記載された構成においては、画面の上部と下部を独立に制御するために、差動比較回路、乗算回路、振幅調整回路を、画面上下の２系統分を備えており、回路規模が増大する、という問題点を有している。また、垂直鋸波の画面下部（下部コーナー）、画面上部（上部コーナー）にあたる部分をそれぞれ差動比較回路１０２、１０３で抜き出して乗算しており、二つの差動比較回路１０２、１０３のオフセットにばらつきがあると、乗算回路１０５、１０６によって該オフセットのばらつきも乗算され、下部と上部の調整回路でのオフセットの差異により、下部波形と上部波形を加算して得られる補正信号にオフセット（段差）が生じる場合がある。さらに、二つの振幅調整回路１０７、１０８の利得を変えたときに、オフセット電圧が変わり、画面のサイズが変化してしまう場合もある。
【００１２】
したがって、本発明は、上記問題点等に鑑みて創案されたものであって、その主たる目的は、回路規模の縮減を図りながら、画面の上部、下部毎に歪を補正する歪補正回路及び表示装置を提供することにある。
【００１３】
本発明の他の目的は、垂直鋸波の中央と画面中央とが対応しない場合にも、上下非対称の歪を正しく補正することができる歪補正回路及び表示装置を提供することにある。
【００１４】
【課題を解決するための手段】
前記目的を達成する本発明は、垂直掃引用の鋸波（「垂直鋸波」という）の振幅を、予め定められた１又は複数の基準レベルと比較することで、現在の掃引位置が画面の垂直掃引方向の部分領域のいずれであるかを検出する比較手段と、前記垂直鋸波より生成される左右糸巻き歪補正用の信号の振幅を調整する増幅手段の利得を、前記比較手段による検出結果に基づき、前記画面の部分領域毎に、それぞれ個別に設定する制御手段と、を備えている。
【００１５】
本発明は、垂直掃引用の鋸波（「垂直鋸波」という）の振幅を、予め定められた基準レベルと比較することで、現在の掃引位置が画面の上部と下部のいずれであるかを検出する比較手段と、前記垂直鋸波より生成される左右糸巻き歪補正用の信号の振幅を調整する増幅手段の利得を、前記比較手段による検出結果に基づき、前記画面の上部と下部とで、それぞれ個別に設定する制御手段と、を備える。
【００１６】
より詳しくは、本発明は、垂直鋸波を入力し、走査期間の前記垂直鋸波の振幅を、画面の垂直掃引方向の所定の位置に対応する垂直鋸波の振幅値に設定されている、一の基準レベル、又は、互いに異なる値の複数の基準レベルと比較する比較回路と、前記垂直鋸波からパラボラ波を生成する乗算回路の出力振幅を調整する利得可変型の増幅回路に対して、前記比較回路の比較結果に基づき、前記垂直鋸波の振幅が前記基準レベルで区分される区間のうちどの区間にあるかに応じて、複数の利得の中から、前記区間に応じた利得を、択一的に選択して設定する制御回路と、を備え、前記利得可変型の増幅回路から歪補正信号が出力される。
【００１７】
本発明は、垂直鋸波を入力し、走査期間の前記垂直鋸波の振幅を、画面の垂直掃引方向の所定の位置に対応する垂直鋸波の振幅に設定されている、一の基準レベル、又は、互いに異なる値の複数の基準レベルと比較する比較回路と、前記比較回路の比較結果に基づき、前記垂直鋸波の振幅が、前記基準値で区分される区間のうちどの区間にあるかに応じて、前記垂直鋸波を増幅する利得可変型の増幅回路に対して、複数の利得の中から前記区間に応じた利得を択一的に選択して設定する制御回路と、前記利得可変型の増幅回路の出力信号からパラボラ波を生成し歪補正信号として出力する乗算回路と、を備える。以下の説明からも、明らかとされるように、上記目的は、本願特許請求の範囲の各請求項に記載された発明によっても、同様にして達成される。
【００１８】
【発明の実施の形態】
本発明の実施の形態について以下に説明する。本発明は、垂直鋸波の振幅を１又は複数の基準レベルと比較することで、現在の掃引位置が、画面の垂直掃引方向の部分領域（例えば画面上部と下部）のいずれであるかを検出し、この検出結果に基づき、左右糸巻き歪補正用の信号（パラボラ波）の振幅を調整する増幅手段の利得を、前記画面の部分領域毎に、可変に制御することで、歪補正信号の振幅を、前記画面の部分領域毎に、それぞれ個別に調整するものであり、前記左右糸巻き歪補正用の信号の振幅が、前記画面の部分領域間（例えば画面上部と下部の領域の場合、画面の中央）で、目に付く段差なく、滑らかにつながる構成とされている。
【００１９】
本発明に係る歪補正回路は、その好ましい一実施の形態において、図１を参照すると、垂直鋸波を入力し、垂直鋸波の振幅（走査期間の垂直鋸波の振幅）と、垂直掃引方向の画面中央に対応する垂直鋸波の振幅に設定されている基準レベル（垂直鋸波の電圧振幅を比較する場合、基準レベルとして基準電圧Ｖrefが与えられる）との大小を比較する比較回路１０と、入力される垂直鋸波と基準レベルとからその差分のパラボラ波を生成する乗算回路１１と、乗算回路１１の出力振幅を調整する利得可変型の増幅回路１２と、比較回路１０の比較結果に基づき、垂直鋸波が基準レベルよりも小のときは、利得可変型の増幅回路１２の利得として第１の利得Ａ１を設定し、垂直鋸波振幅が基準レベル以上のときは、利得可変型の増幅回路１２の利得として、第２の利得を設定する制御回路１３と、を備え、増幅回路１２の出力から歪補正信号Ｖｏが出力される。
【００２０】
本発明の別の実施の形態において、図２を参照すると、垂直鋸波の振幅と、垂直掃引方向の画面中央の位置に対応する垂直鋸波の振幅に設定されている基準レベルとの大小を比較する比較回路１０と、垂直鋸波と基準レベルの差分を増幅する利得可変型の増幅回路１２と、比較回路１０の比較結果に基づき、垂直鋸波の振幅が基準レベルよりも小のときは、利得可変型の増幅回路１２の利得として第１の利得を選択出力し、垂直鋸波の振幅が基準レベル以上のときは、利得可変型の増幅回路１２の利得として第２の利得を選択出力する制御回路１３と、利得可変型増幅回路１２の出力信号、及び、垂直鋸波と基準電圧との差分からパラボラ波を生成し歪補正信号Ｖｏとして出力する乗算回路１１と、を備えた構成としてもよい。
【００２１】
【実施例】
上記した本発明の実施の形態についてさらに詳細に説明すべく、本発明を適用した実施例について図面を参照して説明する。図１は、本発明の第１の実施例をなす歪補正回路の構成を示す図である。図１を参照すると、本発明の第１の実施例の歪補正回路は、垂直出力部の鋸波発生回路で生成された垂直鋸波Ｖsawを入力し、走査期間の垂直鋸波の電圧と、垂直掃引方向の画面中央の位置に対応する垂直鋸波の電圧に設定されている基準電圧Ｖrefとの大小を比較する比較回路１０と、垂直鋸波Ｖsawと基準電圧Ｖrefとを入力し、これらの差分Ｖsaw−Ｖrefのパラボラ波（２乗波）を生成する乗算回路１１と、乗算回路１１の出力振幅を調整する利得可変型の増幅回路１２と、比較回路１０の比較結果を選択制御信号として入力し、垂直鋸波の電圧が基準電圧Ｖrefよりも小のときは、増幅回路１２の利得を第１の利得Ａ１とし、垂直鋸波の電圧が基準電圧Ｖref以上のときは、増幅回路１２の利得を第２の利得Ａ２に設定する制御回路１３と、を備え、増幅回路１２の出力端から、１垂直期間の前半と後半で、別々の利得で振幅調整された、１垂直期間周期の歪補正信号Ｖｏが出力される。
【００２２】
乗算回路１１の出力振幅を調整する増幅回路１２は、制御電圧によってその利得が可変される電圧制御増幅回路（ＶＣＡ；Voltage  Controlled  Amplifier）で構成することができる。この場合、制御回路１３は、比較回路１０の比較結果に基づき、第１の利得Ａ１に対応する制御電圧Ｖｃ１、第２の利得Ａ２に対応する制御電圧Ｖｃ２を選択して電圧制御増幅回路１２に供給する。
【００２３】
比較回路１０に入力される基準電圧Ｖrefは、垂直掃引方向の画面中央位置に対応する垂直鋸波の電圧値に設定されている。なお、比較回路１０は、電圧比較器で構成されているが、これ以外にも、垂直鋸波の振幅を電流で入力し、これを電圧に変換して基準レベルと比較してもよいし、あるいは、基準電圧に対応する電流値との大小を比較する構成としてもよい。
【００２４】
本実施例においては、図１０（ａ）、図１０（ｂ）に示すように、画面の中央Ｐと垂直鋸波の中央Ｑとがずれている場合にも（このずれは、例えば製造時の偏向ヨークの取り付け時のばらつき等で生じる）、図１０（ｃ）に示すように、歪補正信号（パラボラ波）の中心の底が画面中央に位置しており、画面上部と画面下部で上下非対称の左右糸巻き歪を正しく補正する、歪補正信号を生成することができる。
【００２５】
比較例として、基準電圧Ｖrefを垂直鋸波振幅の中央に設定した場合、画面の中央と垂直鋸波振幅の中央とがずれると、歪補正信号は、図１０（ｃ）に破線で示したようなものとなり、歪補正信号（パラボラ波）の中心の底は、画面中央に位置していず、このため、画面位置で決定される歪を正しく補正することができない。例えば上記した特開平５−３０８５３８号公報に開示されている装置では、この種の問題が生じる。前述したように、上記特開平５−３０８５３８号公報に開始されている装置では、パラボラ波を乗算回路ではなく積分回路を用いて生成しているため、垂直鋸波の振幅中央と歪補正信号（パラボラ波）の中心の底とが一致しており、垂直鋸波の中央が画面の中央とずれた場合にも、垂直鋸波の振幅中央と歪補正信号の中心の底は一致しており、歪補正信号は、図１０（ｃ）に破線で示したようなものとなる。そして、上記特開平５−３０８５３８号公報に開示されている装置では、さらに、利得を変化させる補正区間が垂直同期信号を基準として設定されているため、歪調整後に、垂直鋸波の振幅中央と画面垂直方向の中央とがずれた場合など、元の歪補正が有効でなくなり、補正区間と補正量の関係を変更するなど、歪調整を再度実行する必要がある。これに対して、本実施例においては、画面中央位置に対応する電圧に設定された基準電圧を用いて、歪補正信号を生成しており、歪補正信号（パラボラ波）の中心の底は、常に、画面中央位置に一致しており、このため、一旦、歪調整を行った後は、表示画像の中央が、画面上側又は下側にずれても、左右糸巻歪の調整を再度行うことは不要とされる。
【００２６】
次に、本発明の第２の実施例について説明する。図２は、本発明の第２の実施例をなす歪補正回路の構成を示す図である。図２を参照すると、本発明の第２の実施例の歪補正回路は、前記第１の実施例の回路構成と較べて、乗算回路と、利得可変型の増幅回路の配置が相違している。すなわち、垂直掃引用の垂直鋸波Ｖsawを入力し、垂直鋸波Ｖsawの電圧と、垂直掃引方向の画面中央の位置に対応する垂直鋸波の電圧に設定されている基準電圧Ｖrefとの大小を比較する比較回路１０と、垂直鋸波Ｖsawと基準電圧Ｖrefの差分を増幅する利得可変型の増幅回路１２と、比較回路１０の比較結果を選択制御信号として入力し、垂直鋸波Ｖsawの電圧が基準電圧Ｖrefよりも小のときは、増幅回路１２の利得を第１の利得Ａ１に設定し、垂直鋸波Ｖsawの電圧が基準電圧Ｖref以上のときは、増幅回路１２の利得を第２の利得Ａ２に設定する制御回路１３と、増幅回路１２の出力信号を用いてパラボラ波を生成し歪補正信号Ｖｏとして出力する乗算回路１１と、を備えている。前記第１の実施例と同様、増幅回路１２は、制御電圧によってその利得が可変される電圧制御増幅回路（ＶＣＡ）で構成してもよい。この場合、制御回路１３は、比較回路１０の比較結果に基づき、第１の利得Ａ１に対応する制御電圧Ｖｃ１、又は、第２の利得Ａ２に対応する制御電圧Ｖｃ２を電圧制御増幅回路１２に設定する。
【００２７】
乗算回路１１は、増幅回路１２において利得Ａで増幅された出力Ａ×（Ｖsaw−Ｖref）と、垂直鋸波Ｖsawと基準電圧Ｖrefの差分（Ｖsaw−Ｖref）とを乗算したＡ×（Ｖsaw−Ｖref）2に対応する振幅の歪補正信号Ｖｏを出力する。
【００２８】
乗算回路１１としては、公知の任意の回路が用いられる。以下では、図２に示した乗算回路１１における信号の接続関係について、入力電圧Ｘ、Ｙの乗算値に対応した値を出力するギルバートマルチプライヤ回路を用いて説明しておく。図４は、ギルバートマルチプライヤ回路の基本構成を示す図である。図４を参照すると、エミッタが共通接続されて定電流源Ｉ0に接続される第１の差動トランジスタ対Ｑ１、Ｑ２と、エミッタが共通接続されてトランジスタＱ１、Ｑ２のコレクタにそれぞれ接続されており、コレクタが交差接続された第２、第３の差動トランジスタ対Ｑ３、Ｑ４、Ｑ５、Ｑ６を備え、第２、第３の差動トランジスタ対のベースに接続される差動入力端子Ａ＋、Ａ−間に差動入力される第１の電圧Ｘと、第１の差動トランジスタ対のベースに接続される差動入力端子Ｂ＋、Ｂ−間に差動入力される第２の電圧Ｙとを乗算した値Ｘ×Ｙに比例した電流が、トランジスタＱ３、Ｑ６のコレクタ電流Ｉ1、Ｉ2の差電流ΔＩ（＝Ｉ1−Ｉ2）として取り出される。例えばトランジスタＱ３、Ｑ６のコレクタにカレントミラー回路（不図示）の入力端と出力端をそれぞれ接続し、該カレントミラー回路の出力端とトランジスタＱ６のコレクタの接続点から、トランジスタＱ３、Ｑ６のコレクタ電流の差電流ΔＩが取り出される。乗算回路１１が、歪補正信号（パラボラ波）を電流で出力する場合、この差電流ΔＩが用いられる。また乗算回路１１が歪補正信号Ｖｏを電圧で出力する場合、この差電流ΔＩを、不図示の電流電圧変換回路で電圧に変換することで、ＸとＹを乗算した値Ｘ×Ｙに対応する電圧が出力される。
【００２９】
本実施例においては、乗算回路１１の差動入力端子Ｂ＋、Ｂ−に、増幅回路１２の出力（差動出力）を接続し、入力端子Ａ＋に、垂直鋸波Ｖsawを入力し、入力端子Ａ−に、基準電圧Ｖrefを入力する構成とされる。この場合、乗算回路１１からは、｛Ａ×（Ｖsaw−Ｖref）｝×（Ｖsaw−Ｖref）に対応する振幅の歪補正信号Ｖｏが出力される。
【００３０】
本実施例においても、前記第１の実施例と同様、画面の中央と垂直鋸波の中央とがずれている場合に、歪補正信号（パラボラ波）の中心の底が画面中央に位置しており、画面上部と画面下部で上下非対称の左右糸巻き歪を正しく補正する歪補正信号を生成することができる。
【００３１】
図３は、本発明の第２の実施例の変形例を示す図である。図３を参照すると、この変形例は、前記第２の実施例と相違して、乗算回路１１に入力される信号を、増幅回路１２からの出力Ａ×（Ｖsaw−Ｖref）のみとしている。乗算回路１１からの出力｛Ａ×（Ｖsaw−Ｖref）｝×｛Ａ×（Ｖsaw−Ｖref）｝に対応する振幅の歪補正信号Ｖｏとして出力される。
【００３２】
この変形例においては、図４に示す乗算回路１１の差動入力端子Ｂ＋、Ｂ−間に増幅回路１２の出力（差動出力）を接続し、差動入力端子Ａ＋、Ａ−間にも増幅回路１２の出力（差動出力）を接続する構成とされ、歪補正信号として、Ａ2×（Ｖsaw−Ｖref）2が出力される。この変形例の作用効果は、前記第２の実施例と同一である。
【００３３】
次に、本発明の第３の実施例について説明する。図５は、本発明の第３の実施例をなす歪補正回路の構成を示す図である。図５を参照すると、本発明の第３の実施例の歪補正回路は、垂直鋸波Ｖsawの電圧を、画面の所定の垂直位置（垂直掃引方向の所定の位置）に対応する垂直鋸波の振幅に設定されている複数の基準電圧Ｖref1、Ｖref2、Ｖref3と比較する比較回路１０Ａと、比較回路１０Ａの比較結果に基づき、垂直鋸波Ｖsawの電圧が、複数の基準電圧Ｖref1、Ｖref2、Ｖref3で区分される垂直期間の区間のうちどの区間にあるかに応じて、垂直鋸波からパラボラ波を生成する乗算回路１１の出力電圧を調整する利得可変型の増幅回路１２に対して、複数の利得Ａ１〜Ａ４の中から、各区間に対応する利得を、択一的に選択して設定する制御回路１３Ａと、を備え、増幅回路１２の出力端から歪補正信号Ｖｏが出力される。
【００３４】
乗算回路１１は、垂直鋸波Ｖsawと、基準電圧Ｖrefとの差分を乗算する。乗算回路１１に入力される基準電圧Ｖrefは、例えば基準電圧Ｖref2に固定するか、あるいは、垂直鋸波Ｖsawの電圧が垂直期間のどの区間にいるかに応じて、該区間に対応した基準電圧Ｖref1、Ｖref2、Ｖref3を、比較回路１０Ａから、乗算回路１１に供給する構成としてもよい。
【００３５】
図５では、比較回路１０Ａに入力される基準電圧Ｖref1、Ｖref2、Ｖref3が、定電圧Ｖmax、Ｖminを分圧抵抗Ｒ１、Ｒ２、Ｒ３、Ｒ４で分圧することで生成されているが、電圧Ｖref1、Ｖref2、Ｖref3は、それぞれ個別のバイアス電圧源で生成してもよい。また、基準電圧は２個であっても、４個以上であってもよい。比較回路１０Ａからの出力（複数ビット出力）を入力して複数の利得Ａ１〜Ａ４を択一的に選択する制御を行う制御回路は、例えばデコーダ回路と切替スイッチ（いずれも図示されない）によって構成され、デコーダ回路では、比較回路１０Ａの出力結果をデコードし、デコード結果に基づき、入力される垂直鋸波Ｖsawの電圧が、基準電圧Ｖref1、Ｖref2、Ｖref3で区分された区間のうちどの区間にいるかに応じて、切替スイッチでは、複数の利得Ａ１〜Ａ４のうちのいずれかを選択して、増幅回路１２に利得Ａとして出力する。
【００３６】
本発明の第３の実施例において、基準電圧Ｖref2は、例えば垂直掃引方向の画面中央の垂直鋸波Ｖsawの電圧に設定される。図５において、基準電圧の電圧値を規定する分圧抵抗Ｒ１、Ｒ２、Ｒ３、Ｒ４は、抵抗値が可変に設定される可変抵抗器より構成され、表示装置の製造工程の出荷調整時等に、基準電圧Ｖref2をはじめ、Ｖref1、Ｖref3が所望値となるように抵抗値が調整される。あるいは、基準電圧の設定値がＥＥＰＲＯＭ等の不揮発性記憶装置（不図示）に書きこまれ、パワーオン時にレジスタ（不図示）等に、不揮発性記憶装置の値を設定し、レジスタの値に基づき、基準電圧源（不図示）の値を設定することで、基準電圧を出力する構成としてもよい。
【００３７】
かかる構成の本発明の第３の実施例においても、前記第１、第２の実施例と同様、画面の中央と垂直鋸波の中央とがずれている場合に、歪補正信号（パラボラ波）の中心の底が、画面中央に位置しており、画面上部と画面下部で上下非対称の左右糸巻き歪を正しく補正する、歪補正信号を生成することができる。さらに、本発明の第３の実施例においては、画面垂直方向の複数区間において、各区間に応じた利得で歪補正信号の振幅を調整する構成とされていることから、左右糸巻き歪を垂直方向の各区間に対応して、適切に補正することができる。
【００３８】
次に、本発明の第４の実施例について説明する。図６は、本発明の第４の実施例をなす歪補正回路の構成を示す図である。図６を参照すると、この歪補正回路は、前記第３の実施例の構成において、増幅回路１２と乗算回路１１の位置を変更し、増幅回路１２で増幅した信号を、乗算回路１１で乗算して歪補正信号Ｖｏとして出力するものである。乗算回路１１においては、前記第２の実施例と同様、増幅回路１２の出力（Ａ×（Ｖsaw−Ｖref））と、垂直鋸波Ｖsawと基準電圧Ｖrefとを入力し、Ａ×（Ｖsaw−Ｖref）2を歪補正信号Ｖｏとして出力している。
【００３９】
図７は、前記した本発明の第１の実施例において、増幅回路１２を電圧制御増幅回路で構成し、増幅回路１２に制御電圧を供給する制御回路１３の構成の具体例を示す図である。
【００４０】
図７を参照すると、この制御回路１３は、第１、第２の制御電圧に対応するデジタル値を格納する第１、第２のレジスタ１４、１５と、第１のレジスタ１４の出力（ｎビット）の各ビットと、比較回路１０からの比較結果信号との論理積をとった信号をｎビット並列出力するＡＮＤ回路１６（比較回路１０の比較結果出力が１のとき第１のレジスタ１４の出力値を出力し、比較回路１０の比較結果出力が０のとき０を出力）と、第２のレジスタ１５の出力（ｎビット）の各ビットと、比較回路１０からの比較結果信号の相補信号との論理積をとった信号をｎビット並列出力するＡＮＤ回路１７（比較回路１０の比較結果出力が０のとき第２のレジスタ１５の出力値を出力し、比較回路１０の比較結果出力が１のとき０を出力）と、ＡＮＤ回路１６、１７のｎビット出力を入力し、各ビットごとに論理和演算をとった信号をｎビット並列出力する２ｎ入力ｎ出力のＯＲ回路１８と、を備え、ＯＲ回路１８の出力がデジタルアナログ変換器（ＤＡＣ）１９に入力されデジタルアナログ変換器１９からのアナログ電圧出力が、電圧制御増幅回路１２に制御電圧として入力される。
【００４１】
なお、図７に示した構成は、第１、第２のレジスタ１４、１５のｎビットの各ビット出力について、対応するビットの二つの出力をそれぞれ入力とし、比較回路１０の出力とその反転出力でそれぞれ出力イネーブル端子が制御され出力同士が接続されてデジタルアナログ変換器１９の対応するビット入力に入力される第１、第２のトライステートバッファの組（一方が出力イネーブルのとき他は出力がハイインピーダンス状態）を、ｎビット分備えて構成されるセレクタの機能と等価である。
【００４２】
なお、表示装置の製造工程の出荷検査時等に、第１、第２のレジスタ１４、１５に設定される利得の値（設定値）が、表示装置内のＥＥＰＲＯＭ（電気的に消去及び書きこみ可能な読み出し専用メモリ）等の不揮発性記憶装置に書きこまれ、表示装置のパワー（電源）オン時等の初期化時に不揮発性記憶装置から設定値が不図示のＣＰＵ等により読み出されて、第１、第２のレジスタ１４、１５にセットされる。
【００４３】
図８は、前記した本発明の第２の実施例において、増幅回路１２を電圧制御増幅回路とし、増幅回路１２に制御電圧を供給する制御回路１３の構成の具体例を示す図である。図８を参照すると、この制御回路１３も、図７に示した制御回路１３と同様の構成とされている。
【００４４】
図９、図１０は、前記した本発明の各実施例の動作原理を説明するための図である。図９には、垂直鋸波の振幅の中央と垂直掃引方向の画面中央とが一致している場合における、ＣＲＴの画面表示（図９（ａ））、垂直鋸波（図９（ｂ））、歪補正信号（図９（ｃ））の関係が模式的に示されており、また図９（ｄ）には、図８に示した回路において、垂直鋸波、比較回路１０の出力、増幅回路１２の出力、乗算回路１１の出力信号（歪補正信号）の波形が示されている。垂直鋸波の振幅の中央で、基準電圧Ｖrefとの大小関係が反転し（比較回路１０の出力が反転する）、増幅回路１２の出力を乗算する乗算回路１１の出力（歪補正信号）は、図９（ｃ）に示すように、画面中央で、対称となる。
【００４５】
図１０には、図８に示す構成において、垂直鋸波の振幅中央と、垂直掃引方向の画面中央とが一致せず、ずれている場合における、ＣＲＴの画面表示（図１０（ａ））、垂直鋸波（図１０（ｂ））、歪補正信号（図１０（ｃ））の関係が模式的に示されており、図１０（ｄ）には、図８に示した回路において、垂直鋸波電圧Ｖsaw、比較回路１０の出力、増幅回路１２の出力(ＶＣＡ１２の出力)、乗算回路１１の出力信号（歪補正信号）の波形が示されている。垂直鋸波の振幅中央が垂直掃引方向の画面中央とずれている場合、例えばラスタ上端（走査始端）が下側にずれ、走査始端と画面中央部Ｐの間隔（時間）と画面中央部Ｐとラスタ下端（走査終端）の間隔（時間）の比がｒ：ｓ（図１０に示す例では、ｒ＜ｓ）の場合、比較回路１０に供給される垂直鋸波の電圧Ｖsawの波形と基準電圧Ｖrefとの関係は、例えば図１０（ｄ）に示すようなものとなる。すなわち、基準電圧Ｖrefは、垂直掃引方向の画面中央Ｐに対応する電圧（垂直鋸波の電圧）に設定されており、この場合、入力される垂直鋸波の振幅中央Ｑの電圧値よりも低い値に位置している。一方、垂直鋸波の振幅中央と垂直掃引方向の画面中央とのずれが、図１０（ａ）、図１０（ｂ）に示したものと逆の場合（図１０（ｄ）においてｒ＞ｓの場合）、基準電圧Ｖrefは、入力される垂直鋸波の振幅中央Ｑの電圧値よりも高い値に位置することになる。
【００４６】
走査開始電圧から垂直鋸波の電圧Ｖsawが上昇した際に、基準電圧Ｖrefを超えるまでの間、増幅回路１２は、第１の利得Ａ１で増幅し、垂直鋸波が基準電圧Ｖrefを超えたとき、比較回路１０の出力は反転し、これ以降走査終了までの間、増幅回路１２は、第２の利得Ａ２で増幅し、歪補正信号Ｖｏは、画面中央Ｐを底としたパラボラ波となる。
【００４７】
基準電圧Ｖrefは、表示装置の製造の出荷検査時の調整等により、画面中央の値に設定される。この基準電圧の設定値を、ＥＥＰＲＯＭ等の不揮発性記憶装置（不図示）に書き込んでおき、この値に基づき、パワーオン時にレジスタ（不図示）等に設定し、デジタルアナログ変換器（不図示）を用いて基準電圧を出力する構成としてもよい。
【００４８】
図１１（ａ）は、前記した本発明の第１、第２実施例における、パラボラ波よりなる歪補正信号Ｖｏ（１垂直期間の振幅）と、垂直鋸波（図１１において菱形印を結ぶ実線）との関係を示す図であり、図１１（ｂ）は、図１１（ａ）の画面中央部を拡大した図（縦軸は１００ｍＶ単位）である。本発明においては、垂直掃引の画面上部と画面下部に分けて別々に乗算していないため、乗算回路１１の入力オフセットＶoff１が存在する場合にも、乗算回路１１からのパラボラ信号Ｖpara＝Ｋ×（Ｖsaw＋Ｖoff１）2において、画面上部と画面下部で段差は生じない。
【００４９】
増幅回路１２の入力オフセットについては、増幅回路１２から出力される歪補正信号Ｖｏは、Ｖｏ＝Ａ×（Ｖpara＋Ｖoff2）となり（但し、Ａは増幅回路１２の利得）、Ａは垂直期間の前半と後半に分けて、設定される。図１１において、オフセット無しの場合の歪補正信号Ｖｏは、四角の点を破線で結んだ破線（Ｖoff無）で表されており、オフセット有りの場合の歪補正信号Ｖｏは、記号×を実線で結んだ線（Ｖoff有）で表されている。
【００５０】
±５Ｖの振幅の垂直鋸波で乗算回路１１の入力オフセットＶoff１を−１００ｍＶ、増幅回路１２の入力オフセットを１００ｍＶとし、１垂直期間の前半と後半の利得Ａ１、Ａ２をとも「１」とすると、図１１に示すように、歪補正信号Ｖｏ（Ｖoff有）に、中央部での段差は、ほとんど、認められない。
【００５１】
比較例として、図１８に示した構成に順ずる構成（但し、スライス点を画面中央とする）の場合について考察する。図１２（ａ）は、図１８に示した構成に順ずる構成（但し、スライス点を画面中央とする）における、パラボラ波よりなる歪補正信号Ｖｏ（１垂直期間の振幅）と、垂直鋸波（図１１において菱形印を結ぶ実線）との関係を示す図であり、図１２（ｂ）は、図１２（ａ）の画面中央部を拡大した図（縦軸は１００ｍＶ単位）である。
【００５２】
二つの差分比較回路（スライス回路）の間に出力オフセットにばらつきがあると、乗算回路でそのばらつきが２乗される。差分比較回路（スライス回路）の出力オフセットＶoff1を考慮すると、乗算回路の出力は、Ｖpara＝Ｋ×（Ｖsaw＋Ｖoff1）2となり、振幅調整回路（ゲインコントロール回路）１０７、１０８の入力オフセットをＶoff2とすると、二つの振幅調整回路１０７、１０８の出力を加算器１０９で加算した歪補正信号Ｖｏは、Ｖｏ＝Ａ×（Ｖpara＋Ｖoff2）となる。ただし、二つの差分比較回路において画面上部と下部でスライスした場合、Ｖｏ＝Ａ×（Ｖpara＋Ｖoff2）は、１垂直期間の前半と後半で、差動比較回路、振幅調整回路の値に置き換えられる。
【００５３】
±５Ｖの垂直鋸波に対して、図１８の第１の差動比較回路（スライス回路）１０２の後で−１００ｍＶのオフセットがあり、第２の差動比較回路（スライス回路）１０３には、オフセットがなく、第１の振幅調整回路１０７の入力オフセットを１００ｍＶ、第２の振幅調整回路１０８の入力オフセットを０Ｖ、第１、第２の振幅調整回路１０７、１０８の利得を１とすると、歪補正信号には、図１２に示すように、中央部で、１００ｍＶの段差が生じる（図１２（ｂ）参照）。振幅調整回路の設定利得によって、この段差が変化する。歪補正信号に段差が生じた時の画像は、図１５（ｃ）に示すように、水平方向の段差となって現れる。
【００５４】
これに対して、本発明によれば、オフセットによって、段差は現れず、図１４に示すように、左右糸巻き歪を正しく補正することができる。
【００５５】
さらに、歪補正信号の特性について、特開平１１−３１３２２２号公報に記載された装置のものを考察すると、この装置では、歪補正信号として、２乗波（＝Ｋ1×Ｖsaw2）と３乗波（Ａ×Ｋ2×Ｖpara×Ｖsin）を用いており、歪補正信号Ｖｏは、図１３に示すようなものとなり、画面下部のみを補正する場合、画面上部（垂直期間の前半）の歪補正信号を０とすればよいが、あらたに、画面の１／４付近と３／４付近に歪が生じてしまう。すなわち、垂直方向の中心で対称となる３乗波を用いており、例えば画面下部の補正を行う場合、画面上部で歪補正信号を０とすると、画面下部において、３乗波が２乗波に影響してしまう。
【００５６】
これに対して、本発明によれば、２乗波と３乗波とを合わせて用いていず、歪の補正を簡易化しており、また特開平１１−３１３２２２号公報に記載された構成のような３乗波に起因する歪も生じない。このため、歪の調整作業を特段に容易化している。
【００５７】
本発明に係る歪補正回路は、受像管を備えた任意の表示装置に適用される。例えば図１７に示した表示装置の偏向歪補正回路２０８として用いられ、１垂直期間を周期とする歪補正信号は、水平偏向電流と振幅変調され、水平偏向出力回路２１０から、水平偏向コイルに供給される。
【００５８】
上記した実施例に係る歪補正回路は、大画面、平面化が進む表示装置の上下非対称歪の補正に適用して好適とされる。すなわち、上記特開平６−３３４８８７号公報に記載された構成（図１８参照）のように、画面上部、画面下部に対応させて、差動比較回路、乗算回路、振幅調整回路（電圧制御増幅回路）等を２系統備えた構成と比較して、本発明においては、差動比較回路、乗算回路、振幅調整回路を１系統分備えるだけでよく、図７、図８等に示したように、制御回路の回路構成も小規模なものである。さらに、本発明は、特開平６−３３４８８７号公報に記載された構成と較べて、オフセットも特段に小さく（したがって、ラスタに段差が現れない）、簡易な回路構成により、コストの低減、画質の向上を図ることができる。
【００５９】
以上、本発明を上記各実施例に即して説明したが、本発明は、上記実施例の構成にのみ限定されるものでなく、特許請求の範囲の各請求項の本発明の範囲内で、当業者であればなし得るであろう各種変形、修正を含むことは勿論である。
【００６０】
【発明の効果】
以上説明したように、本発明によれば、歪補正用のパラボラ波を生成する乗算回路、振幅調整を行う増幅回路を、複数に分割された画面区間に対して一系統備える構成としたことにより、回路規模を縮減しながら、画面の上部、下部等の各領域で個別に歪を補正することができる、という効果を奏する。
【００６１】
また本発明によれば、画面中央に相当する垂直鋸波の振幅に設定される基準値を、垂直鋸波の振幅と比較し、画面上部と下部で増幅回路の利得を可変させる構成としたため、電子銃の取り付けのばらつき等により、垂直鋸波と中央と、画面中央とがずれた場合でも、左右糸巻き歪、台形歪等の上下非対称歪を正しく補正することができる、という効果を奏する。
【００６２】
そして本発明によれば、簡易な回路構成により、表示装置の歪調整作業を容易化しており、製造コストの低減を図ることができ、大画面の表示装置の上下非対称歪の補正に適用して好適とされる。
【００６３】
さらに本発明によれば、乗算回路と振幅調整を行う増幅回路のオフセットによる、歪補正信号の中央部（部分領域間）でのオフセットを、特段に低減しており、画面に段差が現れることを回避し、画質の向上に貢献している。
【００６４】
さらにまた本発明によれば、画面中央位置に対応する電圧に設定された基準電圧を用いて歪補正信号を生成しており、歪補正信号（パラボラ波）の中心の底は、常に、画面中央位置に一致しており、このため、一度歪調整を行った後は、垂直鋸波の振幅中央が画面中央からずれても、左右糸巻き歪等の再調整は不要とされており、調整作業を特段に容易化している。
【図面の簡単な説明】
【図１】本発明の第１の実施例の構成を示す図である。
【図２】本発明の第２の実施例の構成を示す図である。
【図３】本発明の第２の実施例の変形例を示す図である。
【図４】乗算回路の一例を示す図である。
【図５】本発明の第３の実施例の構成を示す図である。
【図６】本発明の第４の実施例の構成を示す図である。
【図７】本発明の第１の実施例の詳細構成の一例を示す図である。
【図８】本発明の第２の実施例の詳細構成の一例を示す図である。
【図９】本発明の実施例の動作原理を説明するための図である。
【図１０】本発明の実施例の動作原理を説明するための図である。
【図１１】本発明の実施例における歪補正信号のオフセットを説明するための図である。
【図１２】比較例として従来技術における歪補正信号のオフセットを説明するための図である。
【図１３】比較例として別の従来技術における歪補正信号を説明するための図である。
【図１４】本発明の実施例の歪補正動作を説明するための図である。
【図１５】比較例として従来技術の歪補正動作を説明するための図である。
【図１６】糸巻き歪を説明する図である。
【図１７】歪補正回路を備えたＣＲＴモニタの基本構成を示す図である。
【図１８】特開平６−３３４７８８７号公報に記載された構成を示す図である。
【符号の説明】
１０、１０Ａ  比較回路
１１  乗算回路
１２  利得可変型増幅回路（電圧制御増幅回路）
１３、１３Ａ  制御回路
１４  第１のレジスタ
１５  第２のレジスタ
１６  第１のＡＮＤ回路
１７  第２のＡＮＤ回路
１８  ＯＲ回路
１９  ＤＡＣ（デジタルアナログ変換器）
７１  ＣＲＴ
７２  カソード電極
７３  電子ビーム
７４  画面
１０１  鋸波
１０２  下コーナー部抜き出し差動比較回路
１０３  上コーナー部抜き出し差動比較回路
１０５、１０６  乗算回路
１０７、１０８  振幅調整回路
１０９  加算回路
２０１  ＲＧＢプリアンプ
２０２  ＲＧＢメインアンプ
２０３  ＣＲＴ
２０４  偏向コイル
２０５  同期分離同期入力処理回路
２０６  水平発振回路
２０７  垂直鋸波発振回路
２０８  偏向歪補正回路
２０９  ＋Ｂ電源回路
２１０  水平偏向出力回路
２１１  垂直偏向出力回路
【図１】
0003636652.tif 000002
【図２】
0003636652.tif 000003
【図３】
0003636652.tif 000004
【図４】
0003636652.tif 000005
【図５】
0003636652.tif 000006
【図６】
0003636652.tif 000007
【図７】
0003636652.tif 000008
【図８】
0003636652.tif 000009
【図９】
0003636652.tif 000010
【図１０】
0003636652.tif 000011
【図１１】
0003636652.tif 000012
【図１２】
0003636652.tif 000013
【図１３】
0003636652.tif 000014
【図１４】
0003636652.tif 000015
【図１５】
0003636652.tif 000016
【図１６】
0003636652.tif 000017
【図１７】
0003636652.tif 000018
【図１８】
0003636652.tif 000019